(57)【要約】【課題】水平面での回転を可能とすることにより、設置される上下の構造物や隣接構造物間のねじれに対応することができ、さらには、斜めに架設される連絡橋などにも対応できるようにしたすべり支承を提供すること。【解決手段】摺動部品としてのポット１３の上下部にそれぞれ外向きに突出する円形状のフランジ１３ａ，１３ｂを設けてあり、このフランジが上下それぞれのソールプレート１１，１２における両サイドの溝に嵌入した状態で設置される。水平面での回転が可能となることから、すべり支承１０が設置される上下の構造物間や隣接構造物間に相対的なねじれが生じた場合に対応することができる。また、上下のソールプレート１１，１２は互いに回転することが可能となるため、平行ではない２つの構造物間の連絡橋などにも用いることがてきる。【選択図】図１
2006275130.tif 000002
【特許請求の範囲】
【請求項１】
上部構造物に取り付けられる上側のソールプレートと、その上側のソールプレートと交差する向きで下部構造物に取り付けられる下側のソールプレートと、上下のソールプレートの間に設置される摺動部品としてのポットとを備えたすべり支承であって、
上側のソールプレートは下面にすべり板を有し、両サイドにそれぞれ下向きの側壁が設けられ、それらの側壁の下部にはそれぞれ内向き突出部が設けられており、
下側のソールプレートは上面にすべり板を有し、両サイドにそれぞれ上向きの側壁が設けられ、それらの側壁の上部にはそれぞれ内向き突出部が設けられており、
ポットは上面と下面にそれぞれすべり材を有し、上下部にそれぞれ外向きに突出するフランジが設けられ、それらのフランジの少なくとも一方が円形状になっており、
上面のすべり材が上側のソールプレートのすべり板に当接し、下面のすべり材が下側のソールプレートのすべり板に当接し、上側のソールプレートにおける側壁と内向き突出部とで囲まれる溝内に上部のフランジが嵌入し、下側のソールプレートにおける側壁と内向き突出部とで囲まれる溝内に下部のフランジが嵌入する状態で、ポットが上下のソールプレートの間に設置されていることを特徴とするすべり支承。
【請求項２】
上部構造物に取り付けられる上側のソールプレートと、その上側のソールプレートと交差する向きで下部構造物に取り付けられる下側のソールプレートと、上下のソールプレートの間に設置される摺動部品としてのポットとを備えたすべり支承であって、
上側のソールプレートは下面にすべり板を有し、両サイドにそれぞれ下向きの側壁が設けられ、それらの側壁の下部にはそれぞれ内向き突出部が設けられており、
下側のソールプレートは上面にすべり板を有し、両サイドにそれぞれ上向きの側壁が設けられ、それらの側壁の上部にはそれぞれ内向き突出部が設けられており、
ポットは互いに回動が可能な上側部分と下側部分とからなり、上側部分は上面にすべり材を有し、上部に外向きに突出する矩形状のフランジが設けられており、下側部分は下面にすべり材を有し、下部に外向きに突出する矩形状のフランジが設けられており、
上側部分のすべり材が上側のソールプレートのすべり板に当接し、下側部分のすべり材が下側のソールプレートのすべり板に当接し、上側のソールプレートにおける側壁と内向き突出部とで囲まれる溝内に上側部分のフランジが嵌入し、下側のソールプレートにおける側壁と内向き突出部とで囲まれる溝内に下側部分のフランジが嵌入する状態で、ポットが上下のソールプレートの間に設置されていることを特徴とするすべり支承。
【請求項３】
上部構造物に取り付けられる上側のソールプレートと、その上側のソールプレートと交差する向きで下部構造物に取り付けられる下側のソールプレートと、上下のソールプレートの間に設置される摺動部品としてのポットとを備えたすべり支承であって、
上側のソールプレートは下面にすべり板を有し、下部の両サイドにそれぞれ外向きに突出するフランジが設けられており、
下側のソールプレートは上面にすべり板を有し、上部の両サイドにそれぞれ外向きに突出するフランジが設けられており、
ポットは互いに回動が可能な上側部分と下側部分とからなり、上側部分は上面にすべり材を有し、上面から上方に突き出る形で相対する側壁が設けられ、それらの側壁の上端には内向き突出部が設けられており、下側部分は下面にすべり材を有し、下面から下方に突き出る形で相対する側壁が設けられ、それらの側壁の下端には内向き突出部が設けられており、
上側部分のすべり材が上側のソールプレートのすべり板に当接し、下側部分のすべり材が下側のソールプレートのすべり板に当接し、上側部分における側壁と内向き突出部とで囲まれる溝内に上側のソールプレートのフランジが嵌入し、下側部分における側壁と内向き突出部とで囲まれる溝内に下側のソールプレートのフランジが嵌入する状態で、ポットが上下のソールプレートの間に設置されていることを特徴とするすべり支承。
【発明の詳細な説明】
【技術分野】
【０００１】
本発明は、主に土木、建築分野において用いられる装置であって、地震から建物を守るために複数の構造物の間を連結するすべり支承の技術分野に属するものである。
【背景技術】
【０００２】
従来、地震から建物を守るために、鋼板等の剛性を有する硬質板とゴム等の粘弾性的性質を有する軟質板とを交互に積層した複合積層体を構成要素とするアイソレータが用いられているが、通常この種のアイソレータは、各種のダンパーやすべり支承と併設することで免震システムを構成することが多い。すなわち、アイソレータで建物を支えることにより、建物の固有振動数の長周期化を図り、地震波との共振を防いで振幅は大きいがゆっくりした振動となし、その揺れをダンパーやすべり支承により短時間で収束させるようになっている。
【０００３】
このようなすべり支承の一つとして、構造物が配置される地盤（基礎）に取り付けられる下側支持体と、被支承部材である構築物又はその支持基板に取り付けられ、包囲部材でガイドされる上側支持体とが、所定値以上の横力が入力された場合にのみ横方向に自由に相対変位可能に構成され、上側支持体と下側支持体の先端の接触面において、それぞれの表面に配置される摩擦板同士の摺動摩擦を利用して振動を減衰する構造をしたものが知られている。
【特許文献１】特開２０００−３４６１２５号公報
【特許文献２】特開２００３−３０１８８３号公報
【発明の開示】
【発明が解決しようとする課題】
【０００４】
上記したものと同様な摩擦力により振動を減衰するタイプのすべり支承として、下部構造物に取り付けられるベースプレートと、下面にすべり板を有すると共に両サイドに一方向の移動を拘束するための下向きの側壁を有し、上部構造物に取り付けられるソールプレートと、上面にすべり材を有し、ベースプレートに取り付けられてソールプレートを横移動可能に支持するためのベースポット（摺動部品）とを備えたすべり支承がある。
【０００５】
このタイプのすべり支承は、上部構造物と下部構造物との間に横方向の変位が生じた場合、ベースポット上面のすべり材とソールプレート下面のすべり板との摩擦摺動を利用して振動を減衰することができる。そして、すべり支承に相対的な回転変位が生じる場合、ベースポットの側面とソールプレートの側壁のクリアランスによりある程度はこの回転変位を吸収することができる。ところが、回転角度が大きくなると、ベースポットの側面とソールプレートの側壁とが干渉するので回転変位の吸収に限界があり、これらの摩擦摺動面が平面接触とならないため、ねじれが生じて損傷するという恐れがある。例えば、このタイプの滑り支承を、隣接する構造物間の連絡橋の支承に用いた場合、隣接する構造物が平行に移動している間は問題を生じないが、相対的にねじれを生ずるようになると、支承部分にねじれが発生して損傷するという問題点があった。
【０００６】
また、隣接する構造物の間に斜めに連絡橋を設置する場合などにあっては、その連絡橋の傾斜角度に合わせて特別の支承を設計製作する必要があり、設置コストが高くなるという問題点もあった。
【０００７】
本発明は、このような問題点に鑑みてなされたものであり、その目的とするところは、水平面での回転を可能とすることにより、設置される上下の構造物や隣接構造物間のねじれに対応することができ、さらには、斜めに架設される連絡橋などにも対応できるようにしたすべり支承を提供することにある。
【課題を解決するための手段】
【０００８】
上記の目的を達成するため、本発明に係る第１のタイプのすべり支承は、上部構造物に取り付けられる上側のソールプレートと、その上側のソールプレートと交差する向きで下部構造物に取り付けられる下側のソールプレートと、上下のソールプレートの間に設置される摺動部品としてのポットとを備えたすべり支承であって、
上側のソールプレートは下面にすべり板を有し、両サイドにそれぞれ下向きの側壁が設けられ、それらの側壁の下部にはそれぞれ内向き突出部が設けられており、
下側のソールプレートは上面にすべり板を有し、両サイドにそれぞれ上向きの側壁が設けられ、それらの側壁の上部にはそれぞれ内向き突出部が設けられており、
ポットは上面と下面にそれぞれすべり材を有し、上下部にそれぞれ外向きに突出するフランジが設けられ、それらのフランジの少なくとも一方が円形状になっており、
上面のすべり材が上側のソールプレートのすべり板に当接し、下面のすべり材が下側のソールプレートのすべり板に当接し、上側のソールプレートにおける側壁と内向き突出部とで囲まれる溝内に上部のフランジが嵌入し、下側のソールプレートにおける側壁と内向き突出部とで囲まれる溝内に下部のフランジが嵌入する状態で、ポットが上下のソールプレートの間に設置されていることを特徴としている。
【０００９】
また、同様の目的を達成するため、本発明に係る第２のタイプのすべり支承は、上部構造物に取り付けられる上側のソールプレートと、その上側のソールプレートと交差する向きで下部構造物に取り付けられる下側のソールプレートと、上下のソールプレートの間に設置される摺動部品としてのポットとを備えたすべり支承であって、
上側のソールプレートは下面にすべり板を有し、両サイドにそれぞれ下向きの側壁が設けられ、それらの側壁の下部にはそれぞれ内向き突出部が設けられており、
下側のソールプレートは上面にすべり板を有し、両サイドにそれぞれ上向きの側壁が設けられ、それらの側壁の上部にはそれぞれ内向き突出部が設けられており、
ポットは互いに回動が可能な上側部分と下側部分とからなり、上側部分は上面にすべり材を有し、上部に外向きに突出する矩形状のフランジが設けられており、下側部分は下面にすべり材を有し、下部に外向きに突出する矩形状のフランジが設けられており、
上側部分のすべり材が上側のソールプレートのすべり板に当接し、下側部分のすべり材が下側のソールプレートのすべり板に当接し、上側のソールプレートにおける側壁と内向き突出部とで囲まれる溝内に上側部分のフランジが嵌入し、下側のソールプレートにおける側壁と内向き突出部とで囲まれる溝内に下側部分のフランジが嵌入する状態で、ポットが上下のソールプレートの間に設置されていることを特徴としている。
【００１０】
また、同様の目的を達成するため、本発明に係る第３のタイプのすべり支承は、上部構造物に取り付けられる上側のソールプレートと、その上側のソールプレートと交差する向きで下部構造物に取り付けられる下側のソールプレートと、上下のソールプレートの間に設置される摺動部品としてのポットとを備えたすべり支承であって、
上側のソールプレートは下面にすべり板を有し、下部の両サイドにそれぞれ外向きに突出するフランジが設けられており、
下側のソールプレートは上面にすべり板を有し、上部の両サイドにそれぞれ外向きに突出するフランジが設けられており、
ポットは互いに回動が可能な上側部分と下側部分とからなり、上側部分は上面にすべり材を有し、上面から上方に突き出る形で相対する側壁が設けられ、それらの側壁の上端には内向き突出部が設けられており、下側部分は下面にすべり材を有し、下面から下方に突き出る形で相対する側壁が設けられ、それらの側壁の下端には内向き突出部が設けられており、
上側部分のすべり材が上側のソールプレートのすべり板に当接し、下側部分のすべり材が下側のソールプレートのすべり板に当接し、上側部分における側壁と内向き突出部とで囲まれる溝内に上側のソールプレートのフランジが嵌入し、下側部分における側壁と内向き突出部とで囲まれる溝内に下側のソールプレートのフランジが嵌入する状態で、ポットが上下のソールプレートの間に設置されていることを特徴としている。
【発明の効果】
【００１１】
請求項１に記載のすべり支承は、摺動部品としてのポットの上下部にそれぞれ外向きに突出する円形状のフランジを設け、それらのフランジの少なくとも一方を円形状としてあり、これらのフランジが上下それぞれのソールプレートにおける両サイドの溝に嵌入した状態で設置されるので、水平面での回転が可能となることから、すべり支承が設置される上下の構造物間や隣接構造物間に相対的なねじれが生じた場合に対応することができる。また、上下のソールプレートは互いに回転することが可能となるため、平行ではない２つの構造物間の連絡橋などにも用いることがてきる。また、ポットのフランジを上下ともに円形状にすることにより、丸鋼を材料として旋盤加工で簡単に作製できるため経済性が高いという利点がある。
【００１２】
請求項２及び請求項３に記載のすべり支承は、上下のソールプレートの間に設置される摺動部品としてのポットが互いに回動が可能な上側部分と下側部分とで構成されているので、水平面での回転が可能となることから、すべり支承が設置される上下の構造物間や隣接構造物間に相対的なねじれが生じた場合に対応することができる。また、上下のソールプレートは互いに回転することが可能となるため、平行ではない２つの構造物間の連絡橋などにも用いることができる。
【発明を実施するための最良の形態】
【００１３】
次に、各タイプのすべり支承についてそれぞれ具体例を挙げ、それらに基づいて本発明の実施の形態について説明する。
【００１４】
図１は本発明に係る第１のタイプのすべり支承の一例を示す縦断面図、図２は図１に示したすべり支承の平面図、図３（ａ），（ｂ）は図１のすべり支承を構成するポットの平面図と側面図である。
【００１５】
このすべり支承１０は、図１及び図２に示されるように、上部構造物Ｓａに取り付けられる上側のソールプレート１１と、その上側のソールプレート１１と交差する向きで下部構造物Ｓｂに取り付けられる下側のソールプレート１２と、上下のソールプレート１１，１２の間に設置される摺動部品としてのポット１３とを備えた構造をしている。これら上下のソールプレート１１，１２及びポット１３はそれぞれ同じ鋼材（例えば、ＳＳ４００）で作製されている。
【００１６】
上側のソールプレート１１は下面にすべり板１４を有し、長さ方向の両サイドにそれぞれ下向きの側壁１１ａが設けられ、それらの側壁１１ａの下部にはそれぞれ内向き突出部１１ｂが設けられている。また、下側のソールプレート１２は上面にすべり板１５を有し、長さ方向の両サイドにそれぞれ上向きの側壁１２ａが設けられ、それらの側壁１２ａの上部にはそれぞれ内向き突出部１２ｂが設けられている。さらに、上下それぞれのソールプレート１１，１２における両端付近には、ポット１３が係止することでお互いのずれ量を制限するためのストッパ１１ｃ，１２ｃが設けられている。なお、各ソールプレート１１，１２に取り付けるすべり板１４，１５には通常ステンレス板が用いられる。
【００１７】
ポット１３は、円柱形状を組み合わせた部材からなり、その上面には浅い円筒形の空間が設けられ、そこに圧縮ゴム１６を介してすべり材１７が嵌合されており、下面にも浅い円筒形の空間が設けられ、そこにすべり材１８が嵌合されている。上面側の圧縮ゴム１６はすべり支承１０の傾きを吸収するためのものである。そして、ポット１３の上下部には、それぞれ外向きに突出する円形状のフランジ１３ａ，１３ｂが設けられており、このフランジ１３ａ，１３ｂの周囲には低摩擦材１９が設けられている。なお、圧縮ゴム１６にはクロロプレンゴム等の耐久性の高い合成ゴムが用いられ、すべり材１７，１８と低摩擦材１９にはＰＴＦＥ、ポリエチレン、ポリアミド等が用いられる。また、ポット１３の金属部分は、丸鋼を材料として旋盤で加工することで作製できる。
【００１８】
そして、ポット１３は、上面のすべり材１７が上側のソールプレート１１のすべり板１４に当接し、下面のすべり材１８が下側のソールプレート１２のすべり板１５に当接し、上側のソールプレート１１における側壁１１ａと内向き突出部１１ｂとで囲まれる溝内に上部のフランジ１３ａが嵌入し、下側のソールプレート１２における側壁１２ａと内向き突出部１２ｂとで囲まれる溝内に下部のフランジ１３ｂが嵌入する状態で、上下のソールプレート１１，１２の間に設置される。
【００１９】
図１のすべり支承１０は、上記したように、直交する上下のソールプレート１１，１２の間にポット１３を介在させているので、平面上どの方向へも移動可能である。この場合、ポット１３のフランジ１３ａ，１３ｂの端部に低摩擦材１９を設けてあることにより、フランジ１３ａ，１３ｂとソールプレート１１，１２の側壁内面との摩擦抵抗が減少させられ滑らかに挙動する。また、ポット１３のフランジ１３ａ，１３ｂは、ソールプレート１１，１２の側壁１１ａ，１２ａと接触することによって、ポット１３が側壁１１ａ，１２ａの直交方向へ移動するのを拘束するガイドとなる。
【００２０】
また、このすべり支承１０は、上部構造物Ｓａと下部構造物Ｓｂに離れる方向の力が働いた場合に、ポット１３のフランジ１３ａ，１３ｂと上下のソールプレート１１，１２の内向き突出部１１ｂ，１２ｂとが噛み合うことにより、浮き上がりが防止される。
【００２１】
さらに、このすべり支承１０は、ポット１３のフランジ１３ａ，１３ｂを円形状としたことにより、図４に示すように、上下のソールプレート１１，１２が水平に回転することが可能となる。したがって、図５（ａ）に示すように、隣接する構造物Ｓｃ，Ｓｄの間に連絡橋Ｈを固定支承Ａとすべり支承Ｂとで設置する場合に、すべり支承Ｂに上記のすべり支承１０を用いると、図５（ｂ）に示すように、構造物Ｓｃ，Ｓｄに相対的なねじれが生じても、すべり支承Ｂはそのねじれに追随することができ、損傷することがない。また、平行でない２つの構造物間の連絡橋などにも構造を変更することなく設置することができる。
【００２２】
図６は本発明に係る第２のタイプのすべり支承の一例を示す縦断面図、図７は図６に示したすべり支承の平面図、図８（ａ），（ｂ）は図６のすべり支承を構成するポットの平面図と側面図である。
【００２３】
このすべり支承２０は、図６及び図７に示されるように、上部構造物Ｓａに取り付けられる上側のソールプレート２１と、その上側のソールプレート２１と交差する向きで下部構造物Ｓｂに取り付けられる下側のソールプレート２２と、上下のソールプレート２１，２２の間に設置される摺動部品としてのポット２３とを備えた構造をしている。これら上下のソールプレート２１，２２及びポット２３はそれぞれ同じ鋼材（例えば、ＳＳ４００）で作製されている。
【００２４】
上側のソールプレート２１は下面にすべり板２４を有し、長さ方向の両サイドにそれぞれ下向きの側壁２１ａが設けられ、それらの側壁２１ａの下部にはそれぞれ内向き突出部２１ｂが設けられている。また、下側のソールプレート２２は上面にすべり板２５を有し、長さ方向の両サイドにそれぞれ上向きの側壁２２ａが設けられ、それらの側壁２２ａの上部にはそれぞれ内向き突出部２２ｂが設けられている。さらに、上下それぞれのソールプレート２１，２２における両端付近には、ポット２３が係止することでお互いのずれ量を制限するためのストッパ２１ｃ，２２ｃが設けられている。なお、各ソールプレート２１，２２に取り付けるすべり板２４，２５には通常ステンレス板が用いられる。
【００２５】
ポット２３は、互いに回動が可能な上側部分２３Ａと下側部分２３Ｂとからなる。すなわち、上下に水平に二分割された形状をしており、中心部に設置されたボルト２６により上側部分２３Ａと下側部分２３Ｂとを互いに結合することで、水平方向の回転が可能でかつ引抜き力に抵抗するようになっている。具体的には、下側部分２３Ｂの上面に円形状の凹部２３ｂを形成すると共に上側部分２３Ａの下面にその凹部２３ｂと嵌合する凸部２３ａを形成し、さらに上側部分２３Ａの中央に雌ねじ部を形成すると共に下側部分２３Ｂの中央に段付きの貫通孔を形成し、図示の如く下側部分２３Ｂからボルト２６を通して上側部分２３Ａと下側部分２３Ｂとを連結している。なお、ポット２３の上側部分２３Ａと下側部分２３Ｂとが回動可能となり、かつ引抜き力に対して抵抗するという機能を持ちさえすれば、異なった連結方法を採ってもよい。
【００２６】
この例で示した連結方法では、ポット２３の上側部分２３Ａと下側部分２３Ｂの当接面に凹凸状の嵌合部を設けているので、上側部分２３Ａと下側部分２３Ｂは水平力を伝達するようにもなっている。したがって、ボルト２６は引抜き力のみを負担するため小径のものでよく、装置のコンパクト化が図れる。
【００２７】
上側部分２３Ａの上面には浅い円筒形の空間が設けられ、そこに剛性板２７と圧縮ゴム２８を介してすべり材２９が嵌合されており、下側部分２３Ｂの下面にも浅い円筒形の空間が設けられ、そこに剛性板３０を介してすべり材３１が嵌合されている。上側部分２３Ａの剛性板２７は雌ねじ部を覆うためのものであり、下側部分２３Ｂの剛性板３０は段付きの貫通孔を覆うためのものである。また、上側部分２３Ａの圧縮ゴム２８はすべり支承２０の傾きを吸収するためのものである。そして、上側部分２３Ａの上部と下側部分２３Ｂの下部には、それぞれ外向きに突出する矩形状のフランジ２３ｃ，２３ｄが設けられており、このフランジ２３ｃ，２３ｄの対向辺には低摩擦材３２が設けられている。なお、圧縮ゴム２８にはクロロプレンゴム等の耐久性の高い合成ゴムが用いられ、すべり材２９，３１と低摩擦材３２にはＰＴＦＥ、ポリエチレン、ポリアミド等が用いられる。
【００２８】
そして、上側部分２３Ａと下側部分２３Ｂとからなるポット２３は、上側部分２３Ａのすべり材２９が上側のソールプレート２１のすべり板２４に当接し、下側部分２３Ｂのすべり材３０が下側のソールプレート２２のすべり板２５に当接し、上側のソールプレート２１における側壁２１ａと内向き突出部２１ｂとで囲まれる溝内に上部のフランジ２３ｃのうち低摩擦材３２が設けられた方のフランジ２３ｃが嵌入し、下側のソールプレート２２における側壁２２ａと内向き突出部２２ｂとで囲まれる溝内に下部のフランジ２３ｄのうち低摩擦材３２が設けられた方のフランジ２３ｄが嵌入する状態で、上下のソールプレート２１，２２の間に設置される。
【００２９】
図６のすべり支承２０は、上記したように、直交する上下のソールプレート２１，２２の間にポット２３を介在させているので、平面上どの方向へも移動可能である。この場合、ポット２３のフランジ２３ｃ，２３ｄの端部に低摩擦材３２を設けてあることにより、フランジ２３ｃ，２３ｄとソールプレート２１，２２の側壁内面との摩擦抵抗が減少させられ滑らかに挙動する。そして、フランジ２３ｃ，２３ｄが矩形状であるので、側壁とは平面接触となり、摺動時の接触面圧が過大になることを抑制できる。
【００３０】
また、このすべり支承２０は、上部構造物Ｓａと下部構造物Ｓｂに離れる方向の力が働いた場合に、ポット２３のフランジ２３ｃ，２３ｄと上下のソールプレート２１，２２の内向き突出部２１ｂ，２２ｂとが噛み合うことにより、浮き上がりが防止される。そして、フランジ２３ｃ，２３ｄが矩形状であり、引抜き力の負担幅が広いため、大きな引抜き力に対してもフランジ厚を過大にすることなく抵抗できる。
【００３１】
さらに、このすべり支承２０は、ポット２３が互いに回動が可能な上側部分２３Ａと下側部分２３Ｂとからなることにより、図４で説明したのと同様に、上下のソールプレート２１，２２が水平に回転することが可能となる。したがって、図５（ａ）に示すように、隣接する構造物Ｓｃ，Ｓｄの間に連絡橋Ｈを固定支承Ａとすべり支承Ｂとで設置する場合に、すべり支承Ｂに上記のすべり支承２０を用いると、図５（ｂ）に示すように、構造物Ｓｃ，Ｓｄに相対的なねじれが生じても、すべり支承２０はそのねじれに追随することができ、損傷することがない。また、平行でない２つの構造物間の連絡橋などにも構造を変更することなく設置することができる。
【００３２】
図９は本発明に係る第３のタイプのすべり支承の一例を示す縦断面図、図１０は図９に示したすべり支承の平面図、図１１（ａ），（ｂ）は図９のすべり支承を構成するポットの平面図と側面図である。
【００３３】
このすべり支承４０は、図９及び図１０に示されるように、上部構造物Ｓａに取り付けられる上側のソールプレート４１と、その上側のソールプレート４１と交差する向きで下部構造物Ｓｂに取り付けられる下側のソールプレート４２と、上下のソールプレート４１，４２の間に設置される摺動部品としてのポット４３とを備えた構造をしている。これら上下のソールプレート４１，４２及びポット４３はそれぞれ同じ鋼材（例えば、ＳＳ４００）で作製されている。
【００３４】
上側のソールプレート４１は下面にすべり板４４を有し、長さ方向の両サイドにそれぞれ外向きに突出するフランジ４１ａが設けられている。また、下側のソールプレート４２は上面にすべり板４５を有し、長さ方向の両サイドにそれぞれ外向きに突出するフランジ４２ａが設けられている。そして、このフランジ４１ａ，４２ａの端縁には低摩擦材４６が設けられている。さらに、上下それぞれのソールプレート４１，４２における両端付近には、ポット４３が係止することでお互いのずれ量を制限するためのストッパ４１ｂ，４２ｂが設けられている。なお、各ソールプレート４１，４２に取り付けるすべり板４４，４５には通常ステンレス板が用いられ、低摩擦材４６にはＰＴＦＥ、ポリエチレン、ポリアミド等が用いられる。
【００３５】
ポット４３は、互いに回動が可能な上側部分４３Ａと下側部分４３Ｂとからなる。すなわち、上下に水平に二分割された形状をしており、中心部に設置されたボルト４７により上側部分４３Ａと下側部分４３Ｂとを互いに結合することで、水平方向の回転が可能でかつ引抜き力に抵抗するようになっている。具体的には、上側部分４３Ａの下面に円形状の凹部４３ａを形成すると共に下側部分４３Ｂの上面にその凹部４３ａと嵌合する凸部４３ａを形成し、さらに上側部分４３Ａの中央に雌ねじ部を形成すると共に下側部分４３Ｂの中央に段付きの貫通孔を形成し、図示の如く下側部分４３Ｂからボルト４７を通して上側部分４３Ａと下側部分４３Ｂとを連結している。なお、ポット４３の上側部分４３Ａと下側部分４３Ｂとが回動可能となり、かつ引抜き力に対して抵抗するという機能を持ちさえすれば、異なった連結方法を採ってもよい。
【００３６】
この例で示した連結方法では、ポット４３の上側部分４３Ａと下側部分４３Ｂの当接面に凹凸状の嵌合部を設けているので、上側部分４３Ａと下側部分４３Ｂは水平力を伝達するようにもなっている。したがって、ボルト４７は引抜き力のみを負担するため小径のものでよく、装置のコンパクト化が図れる。
【００３７】
上側部分４３Ａの上面には浅い円筒形の空間が設けられ、そこに剛性板４８と圧縮ゴム４９を介してすべり材５０が嵌合されており、下側部分４３Ｂの下面にも浅い円筒形の空間が設けられ、そこに剛性板５１を介してすべり材５２が嵌合されている。上側部分４３Ａの剛性板４８は雌ねじ部を覆うためのものであり、下側部分４３Ｂの剛性板５１は段付きの貫通孔を覆うためのものである。また、上側部分４３Ａの圧縮ゴム４９はすべり支承４０の傾きを吸収するためのものである。そして、上側部分４３Ａには上面から突き出る形で相対する側壁４３ｃが設けられ、それらの側壁４３ｃの上端には内向き突出部４３ｄが設けられており、下側部分４３Ｂには下面から下方に突き出る形で相対する側壁４３ｅが設けられ、それらの側壁４３ｅの下端には内向き突出部４３ｆが設けられている。なお、圧縮ゴム４９にはクロロプレンゴム等の耐久性の高い合成ゴムが用いられ、すべり材５０，５２にはＰＴＦＥ、ポリエチレン、ポリアミド等が用いられる。
【００３８】
そして、上側部分４３Ａと下側部分４３Ｂとからなるポット４３は、上側部分４３Ａのすべり材５０が上側のソールプレート４１のすべり板４４に当接し、下側部分４３Ｂのすべり材５２が下側のソールプレート４２のすべり板４５に当接し、上側部分４３Ａにおける側壁４３ｃと内向き突出部４３ｄとで囲まれる溝内に上側のソールプレート４１のフランジ４１ａが嵌入し、下側部分４３Ｂにおける側壁４３ｅと内向き突出部４３ｆとで囲まれる溝内に下側のソールプレート４２のフランジ４２ａが嵌入する状態で、上下のソールプレート４１，４２の間に設置される。
【００３９】
図９のすべり支承４０は、上記したように、直交する上下のソールプレート４１，４２の間にポット４３を介在させているので、平面上どの方向へも移動可能である。この場合、ソールプレート４１，４２のフランジ４１ａ，４２ａの端部に低摩擦材４６を設けてあることにより、フランジ４１ａ，４２ａとポット４３の側壁４３ｃ，４３ｅ内面との摩擦抵抗が減少させられ滑らかに挙動する。そして、フランジ４１ａ，４２ａと側壁４３ｃ，４３ｅとは平面接触となり、摺動時の接触面圧が過大になることを抑制できる。
【００４０】
また、このすべり支承４０は、上部構造物Ｓａと下部構造物Ｓｂに離れる方向の力が働いた場合に、ソールプレート４１，４２のフランジ４１ａ，４２ａとポット４３の内向き突出部４３ｄ，４３ｆとが噛み合うことにより、浮き上がりが防止される。そして、ポット４３の側壁４３ｃ，４３ｅ全体が引抜き力を負担するため、大きな引抜き力に対しても抵抗できる。
【００４１】
さらに、このすべり支承４０は、ポット４３が互いに回動が可能な上側部分４３Ａと下側部分４３Ｂとからなることにより、図４で説明したのと同様に、上下のソールプレート４１，４２が水平に回転することが可能となる。したがって、図５（ａ）に示すように、隣接する構造物Ｓｃ，Ｓｄの間に連絡橋Ｈを固定支承Ａとすべり支承Ｂとで設置する場合に、すべり支承Ｂに上記のすべり支承４０を用いると、図５（ｂ）に示すように、構造物Ｓｃ，Ｓｄに相対的なねじれが生じても、すべり支承４０はそのねじれに追随することができ、損傷することがない。また、平行でない２つの構造物間の連絡橋などにも構造を変更することなく設置することができる。
【００４２】
以上、本発明の実施の形態について詳細に説明してきたが、本発明によるすべり支承は、上記実施の形態に何ら限定されるものではなく、本発明の趣旨を逸脱しない範囲において種々の変更が可能であることは当然のことである。
【００４３】
例えば、上記で例示した第１のタイプのすべり支承では、ポットの上下部にそれぞれ外向きに突出する円形状のフランジを設けているが、回転だけのことを考えれば何方か一方のフランジを矩形状としても構わない。すなわち、丸鋼を材料に用いた旋盤加工のことを考えなけれぱ、上下どちらかのみを円形状にすればよい。
【図面の簡単な説明】
【００４４】
【図１】本発明に係る第１のタイプのすべり支承の一例を示す縦断面図である。
【図２】図１に示したすべり支承の平面図である。
【図３】図１のすべり支承を構成するポットの平面図と側面図である。
【図４】図１に示したすべり支承の回転時の平面図である。
【図５】構造物間に設置された連絡橋の説明図である。
【図６】本発明に係る第２のタイプのすべり支承の一例を示す縦断面図である。
【図７】図６に示したすべり支承の平面図である。
【図８】図６のすべり支承を構成するポットの平面図と側面図である。
【図９】本発明に係る第３のタイプのすべり支承の一例を示す縦断面図である。
【図１０】図９に示したすべり支承の平面図である。
【図１１】図９のすべり支承を構成するポットの平面図と側面図である。
【符号の説明】
【００４５】
Ｓａ  上部構造物
Ｓｂ  下部構造物
１０  すべり支承
１１  ソールプレート
１１ａ  側壁
１１ｂ  内向き突出部
１１ｃ  ストッパ
１２  ソールプレート
１２ａ  側壁
１２ｃ  ストッパ
１２ｂ  内向き突出部
１３  ポット
１３ａ，１３ｂ  フランジ
１４，１５  すべり板
１６  圧縮ゴム
１７，１８  すべり材
１９  低摩擦材
２０  すべり支承
２１  ソールプレート
２１ａ  側壁
２１ｂ  内向き突出部
２１ｃ  ストッパ
２２  ソールプレート
２２ａ  側壁
２２ｃ  ストッパ
２２ｂ  内向き突出部
２３  ポット
２３Ａ  上側部分
２３Ｂ  下側部分
２３ａ  凸部
２３ｂ  凹部
２３ｃ、２３ｄ  フランジ
２４，２５  すべり板
２６  ボルト
２７  剛性板
２８  圧縮ゴム
２９  すべり材
３０  剛性板
３１  すべり材
３２  低摩擦材
４０  すべり支承
４１  ソールプレート
４１ａ  フランジ
４１ｂ  ストッパ
４２  ソールプレート
４２ａ  フランジ
４２ｂ  ストッパ
４３  ポット
４３Ａ  上側部分
４３Ｂ  下側部分
４３ａ  凹部
４３ｂ  凸部
４３ｃ  側壁
４３ｄ  内向き突出部
４３ｅ  側壁
４３ｆ  内向き突出部
４４，４５  すべり板
４６  低摩擦材
４７  ボルト
４８  剛性板
４９  圧縮ゴム
５０  すべり材
５１  剛性板
５２  すべり材
【図１】
2006275130.tif 000003
【図２】
2006275130.tif 000004
【図３】
2006275130.tif 000005
【図４】
2006275130.tif 000006
【図５】
2006275130.tif 000007
【図６】
2006275130.tif 000008
【図７】
2006275130.tif 000009
【図８】
2006275130.tif 000010
【図９】
2006275130.tif 000011
【図１０】
2006275130.tif 000012
【図１１】
2006275130.tif 000013